(57)【要約】【課題】自由にレイアウトした複数の印刷物を一度に印刷でき、印刷後に各印刷物を人手により容易に切離すことができるミシン目付きページプリンタ用紙を得る。【解決手段】ミシン目３２，３３によって区分された複数の分離紙面３４，３５，３６を有し、分離紙面３４，３５，３６ごとにプリンタで印刷することができ、各分離紙面３４，３５，３６はミシン目３２，３３に沿って切離すことができ、分離紙面３４，３５，３６は異なる形状である。【選択図】図４
2004237737.tif 000002
【特許請求の範囲】
【請求項１】
ミシン目によって区分された複数の分離紙面を有し、
前記分離紙面ごとにプリンタで印刷することができ、
前記各分離紙面はミシン目に沿って切離すことができ、
前記各分離紙面は異なる形状であることを特徴とするミシン目付きページプリンタ用紙。
【請求項２】
前記各分離紙面が識別マークを備えた請求項１に記載のミシン目付きページプリンタ用紙。
【請求項３】
前記識別マークは分離紙面ごとに異なる請求項２に記載のミシン目付きページプリンタ用紙。
【請求項４】
前記各分離紙面が複数箇所に識別マークを備えた請求項２または３に記載のミシン目付きページプリンタ用紙。
【請求項５】
前記各分離紙面が綴じ孔を備えた請求項１乃至４のいずれかに記載のミシン目付きページプリンタ用紙。
【請求項６】
前記各分離紙面の印刷面の色が異なる請求項１乃至５のいずれかに記載のミシン目付きページプリンタ用紙。
【請求項７】
前記各分離紙面に伝票様式で印刷する請求項１乃至６のいずれかに記載のミシン目付きページプリンタ用紙。
【請求項８】
前記伝票様式は前記分離紙面ごとに異なる請求項７に記載のミシン目付きページプリンタ用紙。
【請求項９】
大きさはＡ４版である請求項１乃至８のいずれかに記載のミシン目付きページプリンタ用紙。
【請求項１０】
分離紙面の数は３である請求項１乃至９のいずれかに記載のミシン目付きページプリンタ用紙。
【発明の詳細な説明】
【技術分野】
【０００１】
本発明は、パソコンをはじめとするコンピュータのページプリンタで出力可能なページプリンタ用紙に関するものである。
【背景技術】
【０００２】
従来では、売上伝票、納品書、及び受領書といった共通する情報を複数の書類に記載して使用する伝票などを作成する場合、感圧紙を用いた複写式の用紙などを利用していた。
しかし、近年ではパソコンの普及が進み、またワープロソフトなどのコンピュータソフトウェアで作成したデータを印刷するためのページプリンタの価格が低下している。
従って、パソコンとページプリンタを使って、コンピュータソフトウェアでデザインした印刷物を手軽に作成できるようになった。コンピュータソフトウェアを用いることで、共通の情報を複数の書類に印刷することは容易であり、また印刷物のレイアウトも自由にデザインできる。
【０００３】
売上伝票など予め印刷物の大きさや印刷内容などが決まる定型印刷物をコンピュータソフトウェアで作成してページプリンタで印刷する場合、例えばＡ４版やＢ５版などページプリンタ用紙の定型の大きさに合わせて、コンピュータソフトウェアで定型印刷物を作成して、印刷することになる。
その場合、図１１（ａ）（ｂ）（ｃ）に示すように、１枚のページプリンタ用紙ごとに１つの定型印刷物を印刷するようにして複数枚のページプリンタ用紙１００，１０１，１０２を一組とし、あるいは、図１２に示すように、１枚のページプリンタ用紙１０３に複数の定型印刷物を印刷する方法がある。
【０００４】
以上説明した従来のページプリンタ用紙では、１枚のページプリンタ用紙ごとに１つの定型印刷物を印刷した場合、定型印刷物の大きさが用紙の大きさに対してかなり小さくなり、余白が大きく、ページプリンタ用紙の無駄となる。また、１枚のページプリンタ用紙に複数の定型印刷物を印刷した場合、定型印刷物を印刷後に、はさみやカッターナイフ等の切断用具を用いて定型印刷物１つずつを切離さなければならず、手間がかかっていた。また、切り損じによりページプリンタ用紙の無駄が生じる場合もあった。
【発明の開示】
【発明が解決しようとする課題】
【０００５】
本発明は以上のような従来技術の問題点を解消するためになされたもので、切断用具を用いず人手により容易に切離すことができる無地のミシン目付きページプリンタ用紙を提供することにある。
【課題を解決するための手段】
【０００６】
請求項１記載の発明は、ミシン目によって区分された複数の分離紙面を有し、分離紙面ごとにプリンタで印刷することができ、各分離紙面はミシン目に沿って切離すことができ、各分離紙面は異なる形状であることを特徴とする。
【０００７】
請求項２記載の発明は、請求項１に記載の発明において、各分離紙面が識別マークを備えたことを特徴とする。
【０００８】
請求項３記載の発明は、請求項２に記載の発明において、識別マークは分離紙面ごとに異なることを特徴とする。
【０００９】
請求項４記載の発明は、請求項２または３に記載の発明において、各分離紙面が複数箇所に識別マークを備えたことを特徴とする。
【００１０】
請求項５記載の発明は、請求項１乃至４のいずれかに記載の発明において、各分離紙面が綴じ孔を備えたことを特徴とする。
【００１１】
請求項６記載の発明は、請求項１乃至５のいずれかに記載の発明において、各分離紙面の印刷面の色が異なることを特徴とする。
【００１２】
請求項７記載の発明は、請求項１乃至６のいずれかに記載の発明において、各分離紙面に伝票様式で印刷することを特徴とする。
【００１３】
請求項８記載の発明は、請求項７記載の発明において、伝票様式は分離紙面ごとに異なることを特徴とする。
【００１４】
請求項９記載の発明は、請求項１乃至８のいずれかに記載の発明において、大きさはＡ４版であることを特徴とする。
【００１５】
請求項１０記載の発明は、請求項１乃至９のいずれかに記載の発明において、分離紙面の数は３であることを特徴とする。
【発明の効果】
【００１６】
本発明によれば、自由にレイアウトした複数の印刷物を一度に印刷でき、印刷後に各印刷物を人手で容易にかつ確実に切離せるミシン目付きページプリンタ用紙を得ることができる。
【００１７】
また、本発明によれば、前記各分離紙面が綴じ孔を備えているため、バインダーや綴じ紐などの保管用具を利用して切離された分離紙面を保管する場合などに利用できる。
【００１８】
さらに、本発明によれば、前記各分離紙面が識別マークを備えているため、切離された分離紙面を識別するためなどに利用できる。
【００１９】
さらにまた、本発明によれば、前記各分離紙面の印刷面の色が異なるため、各分離紙面を識別するためなどに利用できる。
【００２０】
さらにまた、本発明によれば、前記各分離紙面に伝票様式で印刷するため、切離された各分離紙面を伝票として利用できる。
【００２１】
さらにまた、本発明によれば、前記伝票様式は前記分離紙面ごとに異なるため、切離された各分離紙面を異なる伝票として利用できる。
【発明を実施するための最良の形態】
【００２２】
以下、図面を参照しながら本発明にかかるミシン目付きページプリンタ用紙の実施の形態について説明する。
図１に示すように、ミシン目付きページプリンタ用紙１は、ミシン目付きページプリンタ用紙１の幅方向のミシン目２，３によって区分された分離紙面４，５，６を有している。分離紙面４は、綴じ孔７，８及び識別マーク１３，１４を備え、分離紙面５は、綴じ孔９，１０及び識別マーク１５，１６を備え、分離紙面６は、綴じ孔１１，１２及び識別マーク１７，１８を備えている。また、分離紙面４，５，６の印刷面の色はそれぞれ異なる。
なお、ミシン目付きページプリンタ用紙１は無地である。
【００２３】
ミシン目付きページプリンタ用紙の大きさは、利用用途などに応じて決める。パソコンのページプリンタで印刷できる用紙の大きさとしては、例えばＡ４版、Ａ３版、あるいはＢ５版などがある。図示の例では、ミシン目付きページプリンタ用紙１の大きさをＡ４版とした。
【００２４】
ミシン目は、ページプリンタ用紙の表面に施された、人手で容易に分離できる程度の孔、あるいは凹凸を線状に形成したものである。ここで、ミシン目の具体的な形や、加工方法については、ミシン目付きページプリンタ用紙の材質などに応じて決める。ミシン目は、各分離紙面を切離すために利用する。
【００２５】
分離紙面の数は、利用用途などに応じて決める。それぞれの分離紙面には、コンピュータソフトウェアで作成した印刷物をプリンタを使って印刷できる。図示の例では、３つの分離紙面４，５，６に等分することができるミシン目付きページプリンタ用紙１とした。
【００２６】
それぞれの分離紙面は、綴じ孔を備える。この綴じ孔は、バインダーや綴じ紐などの保管用具を利用して切離された分離紙面を保管する場合などに利用できる。綴じ孔の数、大きさ、形、あるいは位置などは、利用用途などに応じて決める。図示の例では、分離紙面４は綴じ孔７，８を有し、分離紙面５は綴じ孔９，１０を有し、分離紙面６は綴じ孔１１，１２を有している。ここで綴じ孔７，８，９，１０，１１，１２は、全て同じ大きさの円形とし、位置は、図１において分離紙面４，５，６の左側縁部とした。なお、全ての分離紙面が綴じ孔を備えている必要はなく、分離紙面のいずれかが綴じ孔を備えているものであってもよい。
【００２７】
それぞれの分離紙面は、識別マークを備える。この識別マークは、切離された分離紙面を識別するため、あるいは、綴じ孔を備えていない分離紙面に、分離紙面の利用者自身が綴じ孔を開ける際に綴じ孔の位置を確認するため、などに利用できる。識別マークの種類、大きさ、形、あるいは位置などは、利用用途などに応じて決める。図示の例では、分離紙面４は識別マーク１３，１４を有し、分離紙面５は識別マーク１５，１６を有し、分離紙面６は、識別マーク１７，１８を有している。ここで識別マーク１３，１４は一本線、識別マーク１５，１６は二本線、識別マーク１７，１８は三本線とした。さらに識別マーク１３，１４，１５，１６，１７，１８の長さは全て同じとし、識別マーク１３，１５，１７の位置は、それぞれ分離紙面４，５，６の左側縁部、識別マーク１４，１６，１８の位置は、それぞれ分離紙面４，５，６の右側縁部とした。なお、全ての分離紙面が識別マークを備えている必要はなく、分離紙面のいずれかが識別マークを備えているものであってもよい。
【００２８】
それぞれの分離紙面には、印刷面に着色を施す。分離紙面ごとに印刷面の色を変えると、各分離紙面を識別するためなどに利用できる。ここで色を変えるとは異なる色を用いる場合と、一つの色の濃淡を用いる場合とを含む。また、色には無色も含む。図示の例では、分離紙面４，５，６の印刷面を一つの色の濃淡で変えた。
【００２９】
分離紙面の形状は、利用用途などに応じて、全ての分離紙面を同じ形状、あるいは異なる形状とする。ここで、形状とは分離紙面の形と大きさの双方を含む。従って、同じ形状とは、形と大きさの双方が同一であることを示し、異なる形状とは、形または大きさのいずれか、あるいは形と大きさの双方が異なることを示す。図示の例では、ミシン目付きページプリンタ用紙１の分離紙面４，５，６を同じ形状とした。
【００３０】
以上説明した、本発明にかかるミシン目付きページプリンタ用紙の利用例を、図２に示す。
【００３１】
図２は、各分離紙面に伝票様式で印刷するミシン目付きページプリンタ用紙の利用例であり、ミシン目を用いて切離した後の各分離紙面は、伝票として利用できる。この例では、印刷される伝票様式が分離紙面ごとに異なり、分離紙面４，５，６には、それぞれ売上伝票、納品書、及び受領書を印刷する。従って、切離された分離紙面４，５，６は、それぞれ売上伝票、納品書、及び受領書として利用できる。
【００３２】
印刷される情報の例としては、売上伝票には、伝票番号、宛名、商品名、数量、単価、及び金額（合計含む）、納品書には、伝票番号、宛名、商品名、数量、単価、金額（合計含む）、及び納品日、受領書には、伝票番号、宛名、商品名、及び数量がある。また各伝票には、罫線、伝票の種類を表す「売上伝票」などの伝票名称、及び印刷する情報の種類を表す「商品名」などの項目名が印刷される。ここで、罫線、伝票名称、及び項目名は、常に印刷結果が同じである固定の情報であり、具体的な宛名、伝票番号、商品名、数量、単価、金額、納品日は、印刷する都度印刷結果が変わる可変の情報である。固定の情報と可変の情報の印刷は、ミシン目付きページプリンタ用紙に各伝票を印刷するときに同時に行う。
【００３３】
なお、ミシン目付きページプリンタ用紙に固定の情報と可変の情報を同時に印刷せずに、分けて印刷してもよい。図２の利用例では、先ずミシン目付きページプリンタ用紙１に固定の情報のみを印刷しておき、伝票発行時に固定の情報が印刷されたミシン目付きページプリンタ用紙１に可変の情報を印刷する場合などがある。
【００３４】
分離紙面４，５，６に印刷される情報には、全ての分離紙面に共通の情報と、分離紙面に固有の情報とがある。図２の利用例では、売上伝票、納品書、及び受領書の全てに共通の情報として、伝票番号、商品名、及び数量がある。また、売上伝票と納品書に固有の情報として単価と金額があり、さらに納品書の固有の情報として納品日がある。
【００３５】
図２の利用例によると、一度の印刷で、売上伝票、納品書、及び受領書が１枚のミシン目付きページプリンタ用紙１に印刷できる。
【００３６】
ミシン目２，３を用いることで売上伝票、納品書、及び受領書を人手で容易に切離すことができる。従って、はさみやカッターナイフなどの切断用具は不要であり、また切り損じることでミシン目付きページプリンタ用紙を無駄にすることもなく、同じ伝票を印刷し直す必要もない。
【００３７】
綴じ孔７，８，９，１０，１１，１２は、ミシン目２，３を用いて切離された売上伝票、納品書、及び受領書をバインダーや綴じ紐などの保管用具を利用して保管する場合に利用できる。
【００３８】
識別マーク１３，１４、１５，１６、１７，１８は、ミシン目２，３を用いて切離された売上伝票、納品書、及び受領書を識別する場合に利用できる。
また、分離紙面４，５，６の印刷面の色の違いも、売上伝票、納品書、及び受領書を識別する場合に利用できる。
【００３９】
以下に、本発明にかかるミシン目付きページプリンタ用紙のその他の実施形態について説明する。
【００４０】
図３に、分離紙面の数が４つの場合の例を示す。ミシン目付きページプリンタ用紙２１は、ミシン目２２，２３、２４によって同じ大きさで同じ形に区分された分離紙面２５，２６，２７、２８を有している。分離紙面２２，２３，２４は、綴じ孔、識別マークをそれぞれ備え、印刷面の色はそれぞれ異なる。
【００４１】
図４に、各分離紙面の形状が異なる例を示す。ミシン目付きページプリンタ用紙３１は、ミシン目３２，３３によって区分された分離紙面３４，３５、３６を有している。ここで、分離紙面３４，３５，３６は、形と大きさが異なる。また、分離紙面３４，３５，３６は、それぞれ綴じ孔、識別マークを備え、印刷面の色はそれぞれ異なる。
【００４２】
図５に、各分離紙面が綴じ孔を備えていない例を示す。ミシン目付きページプリンタ用紙４１は、ミシン目４２，４３によって区分された分離紙面４４，４５，４６を有している。分離紙面４４，４５，４６は、それぞれ識別マークを備え、印刷面の色はそれぞれ異なる。
【００４３】
図６に、各分離紙面が識別マークを備えていない例を示す。ミシン目付きページプリンタ用紙５１は、ミシン目５２，５３によって区分された分離紙面５４，５５，５６を有している。分離紙面５４，５５，５６は、それぞれ綴じ孔を備え、印刷面の色がそれぞれ異なる。
【００４４】
図７に、各分離紙面の印刷面の色が同じ例を示す。ミシン目付きページプリンタ用紙６１は、ミシン目６２，６３によって区分された分離紙面６４，６５，６６を有している。分離紙面６４，６５，６６は、それぞれ綴じ孔と識別マークを備え、印刷面の色は全て同じである。
【００４５】
図８に、ミシン目がミシン目付きページプリンタ用紙の縦方向に入っている例を示す。ミシン目付きページプリンタ用紙７１は、ミシン目７２，７３によって区分された分離紙面７４，７５，７６を有している。ミシン目７２，７３は、ミシン目付きページプリンタ用紙７１の長手方向に入っている。分離紙面７４，７５，７６は、それぞれ綴じ孔を各分離紙面の上側縁部に備え、それぞれ識別マークを各分離紙面の上側縁部と下側縁部とに備え、印刷面の色はそれぞれ異なる。
【００４６】
図９に、各分離紙面の形状が異なる他の例を示す。ミシン目付きページプリンタ用紙８１は、ミシン目８２，８３によって区分された分離紙面８４，８５，８６を有している。ここで、ミシン目８２は、ミシン目付きページプリンタ用紙８１の横方向（幅方向）に入り、ミシン目８３は、ミシン目付きページプリンタ用紙８１の縦方向（長手方向）に入っている。分離紙面８４は、綴じ孔を分離紙面８４の左側縁部に備え、識別マークを分離紙面８４の左側縁部と右側縁部に備えている。分離紙面８５，８６は、綴じ孔を各分離紙面の上側縁部に備え、識別マークを各分離紙面の上側縁部と下側縁部に備えている。分離紙面８４，８５，８６の印刷面の色はそれぞれ異なる。
【００４７】
図１０に、各分離紙面が綴じ孔と識別マークを備えず、各分離紙面の印刷面の色が同じである例を示す。ミシン目付きページプリンタ用紙９１は、ミシン目９２，９３によって区分された分離紙面９４，９５，９６を有している。分離紙面９４，９５，９６は、綴じ孔と識別マークを備えておらず、各分離紙面の印刷面の色は全て同じである。
【図面の簡単な説明】
【００４８】
【図１】本発明にかかるミシン目付きページプリンタ用紙の実施形態を示す正面図である。
【図２】上記実施形態にかかるミシン目付きページプリンタ用紙の利用例を示す正面図である。
【図３】本発明にかかるミシン目付きページプリンタ用紙の他の実施形態を示す正面図である。
【図４】本発明にかかるミシン目付きページプリンタ用紙のさらに他の実施形態を示す正面図である。
【図５】本発明にかかるミシン目付きページプリンタ用紙のさらに他の実施形態を示す正面図である。
【図６】本発明にかかるミシン目付きページプリンタ用紙のさらに他の実施形態を示す正面図である。
【図７】本発明にかかるミシン目付きページプリンタ用紙のさらに他の実施形態を示す正面図である。
【図８】本発明にかかるミシン目付きページプリンタ用紙のさらに他の実施形態を示す正面図である。
【図９】本発明にかかるミシン目付きページプリンタ用紙のさらに他の実施形態を示す正面図である。
【図１０】本発明にかかるミシン目付きページプリンタ用紙のさらに他の実施形態を示す正面図である。
【図１１】従来のページプリンタ用紙の利用例を示した正面図である。
【図１２】従来のページプリンタ用紙のその他の利用例を示した正面図である。
【符号の説明】
【００４９】
１                                    ミシン目付きページプリンタ用紙
２，３                                ミシン目
４，５，６                            分離紙面
７，８，９，１０，１１，１２          綴じ孔
１３，１４，１５，１６，１７，１８    識別マーク
２１                                  ミシン目付きページプリンタ用紙
２２，２３，２４                      ミシン目
２５，２６，２７，２８                分離紙面
３１                                  ミシン目付きページプリンタ用紙
３２，３３                            ミシン目
３４，３５，３６                      分離紙面
４１                                  ミシン目付きページプリンタ用紙
４２，４３                            ミシン目
４４，４５，４６                      分離紙面
５１                                  ミシン目付きページプリンタ用紙
５２，５３                            ミシン目
５４，５５，５６                      分離紙面
６１                                  ミシン目付きページプリンタ用紙
６２，６３                            ミシン目
６４，６５，６６                      分離紙面
７１                                  ミシン目付きページプリンタ用紙
７２，７３                            ミシン目
７４，７５，７６                      分離紙面
８１                                  ミシン目付きページプリンタ用紙
８２，８３                            ミシン目
８４，８５，８６                      分離紙面
９１                                  ミシン目付きページプリンタ用紙
９２，９３                            ミシン目
９４，９５，９６                      分離紙面
１００，１０１，１０２，１０３        従来のページプリンタ用紙
【図１】
2004237737.tif 000003
【図２】
2004237737.tif 000004
【図３】
2004237737.tif 000005
【図４】
2004237737.tif 000006
【図５】
2004237737.tif 000007
【図６】
2004237737.tif 000008
【図７】
2004237737.tif 000009
【図８】
2004237737.tif 000010
【図９】
2004237737.tif 000011
【図１０】
2004237737.tif 000012
【図１１】
2004237737.tif 000013
【図１２】
2004237737.tif 000014